(57)【要約】【課題】本発明は移動トイレ装置、およびトイレ装置使用後にフォイルをヒートシールする一列の廃棄パッケージを形成する方法を提供する。【解決手段】移動トイレ装置はトイレ部、収集ボックス、フォイル供給手段、ヒートシール手段およびベースを含む。トイレ槽が上リングおよび下リングと組み合わせてフォイルにより形成されている。フォイルはフォイルカセットから供給手段により供給される。廃棄パッケージ列において、空バックがヒートシールにより廃棄パッケージ間に形成される。【選択図】      図２
2004261530.tif 000002
【特許請求の範囲】
【請求項１】
トイレ部（１）、収集ボックス（２）、フォイル（１６）用供給手段、ヒートシール手段、およびベース（３）を含む移動可能トイレにおいて、トイレ槽（１２）は上リング（１５）および下リング（１４）と組み合わせたフォイル（１６）で形成されていて、前記フォイル（１６）はフォイルカセット（１３）から供給されることを特徴とする、移動トイレ装置。
【請求項２】
前記フォイル用供給手段はフォイル（１６）を前進させるために前記下リング（１４）下方の所定位置に設置された二対の供給車輪（１８）を含み、かつ前記フォイル用供給装置はシャフト（３８）を介して電動モータ（３７）により駆動し、前記シャフト（３８）は前記供給車輪（１８）に各々が連結された一対の歯車（４０，４１）と各外端で噛み合う歯車（３９）を有することを特徴とする、請求項１の移動トイレ装置。
【請求項３】
前記上リング（１５）は円形であり、前記下リング（１４）は前記供給車輪（１８）の各対の上方の所定位置で頂点が終端する多角形であり、かつ複数のロッド（１１）またはプレートが前記上リング（１５）と前記下リング（１４）との間に配置されていることを特徴とする、請求項２の移動トイレ装置。
【請求項４】
前記ヒートシール手段は第一および第二インパルスヒートシール棒（２１，２０）を含むことを特徴とする、請求項１から３のいずれか１の移動トイレ装置。
【請求項５】
前記インパルスヒートシール棒（２１，２０）はヒートシール時に上下の位置関係で設置され、かつ前記インパルスヒートシール棒（２１，２０）の活性面はヒートシール時に実質的水平位置にあることを特徴とする、請求項４の移動トイレ装置。
【請求項６】
前記インパルスヒートシール棒（２１，２０）は電動モータ（４２）、ならびに第一アーム（２５）、第二アーム（２８）、リンク機構（２７）およびインパルスヒートシール棒（２１，２０）を受ける二つの歯車（２４，２３）を含む装置に各端部で連結されたシャフト（４３）によって運動することを特徴とする、請求項４または５の移動トイレ装置。
【請求項７】
センサ（３１）およびバネが各リンク機構（２７）と第二アーム（２８）との間に連結されていることを特徴とする、請求項６の移動トイレ装置。
【請求項８】
前記収集ボックス（２）は、フォイル（１６）により形成されかつヒートシールされた廃棄パッケージ（９）を受けるために前記ベース（３）の所定位置に設置されていることを特徴とする、請求項１から７のいずれか１の移動トイレ装置。
【請求項９】
前記トイレ部（１）は前記ベース（３）に折り畳み可能に取り付けられていることを特徴とする、請求項１から８のいずれか１の移動トイレ装置。
【請求項１０】
プレート（１９）が前記トイレ部（１）の壁に各供給車輪（１８）に隣接して取り付けられ、かつ前記プレート（１９）は各供給車輪（１８）の下の形状の外側に形状を有することを特徴とする、請求項２から９のいずれか１のの移動トイレ装置。
【請求項１１】
インパルスヒートシール棒（２０，２１）の位置をモニタするために一またはそれ以上のカム（３０）が前記ヒートシール手段のシャフト（４３）上に配置され、かつ前記カム（３０）および前記センサ（３１）の信号は電気モニタ（３７，４２）を制御するために制御カード（２９）へ送信されることを特徴とする、請求項６から１０のいずれか１の移動トイレ装置。
【請求項１２】
前記廃棄パッケージをその両側でヒートシールしてフォイル管に形成し、かつ空バッグを、前記廃棄パッケージと交互に配置して列を形成するように、前記廃棄パッケージ間に形成することを特徴とする、廃棄パッケージを形成する方法。
【請求項１３】
請求項１から１１のいずれか１による移動トイレ装置を使用することを特徴とする、請求項１２の方法。
【発明の詳細な説明】
【０００１】
【発明の属する技術分野】
本発明は、施設および家庭においてヘルスケアに使用できるトイレ装置に関する。更に、本発明は一列の廃棄パッケージを形成する方法を含む。前記廃棄パッケージ列は続いて分離パッケージに分割できるものである。
【０００２】
【従来の技術】
一般的ヘルスケアおよび家庭の老人ケアにおいて、トイレ状況はしばしば満足できるように解決されていない。その理由は、病室用トイレがないとかまたは職員に時間がない等にある。更に、患者を監督するために排泄物のサンプルの採取が所望される場合がある。同様に、最近では、患者に投与された幾つかの製薬の痕跡が排泄物に存在することが観察されている。これらの排泄物が、下水管に流される場合、無傷で下水処理を通過し、終局的に動物相が影響を受ける環境に到達する。開放状態で保存される場合、有害物質が空気中に拡散されることになる。
【０００３】
今日、しばしば病人用便器が使用されるが、これは患者にとって不便であり、労力集中を必要とし、かつ内容物が従来下水管に流される場合には汚染問題を生じる。更に、患者をトイレに運搬して下水に連結された従来トイレの上に設置できる車椅子を使用することが知られている。これは労力集中を必要としかつ環境を汚染する。更に、化学物質を充填した採集タンクを備えたトイレの使用が知られている。これは患者および関係者の両者に不衛生でありかつ環境に有害である。同様に、凍結トイレの使用が知られている。これは患者に不便でありかつ廃棄の問題を生じる。
【０００４】
【発明が解決しようとする課題】
本発明の課題の一つは病棟等で使用できるトイレシステムもしくはトイレ装置を提供することである。かかるトイレシステムは容易に運搬できかつ患者および患者をサポートする人に便利でなければならない。機能不全の如何なる危険も可能な限り大幅に回避さなければならない。
【０００５】
本発明の他の課題は患者を監督するためにサンプル採取を可能にすることである。
【０００６】
本発明の他の課題は、潜在的環境汚染を回避するために通常の下水管へ排泄物を通常は流さないことである。その代わりに、排泄物は焼却炉で焼却されなければならない。
【０００７】
更に、本発明の課題は、病棟、家庭等で使用できる無臭トイレを提供することである。
【０００８】
【課題を解決するための手段】
上記課題を達成するための本発明によるトイレ装置は移動可能トイレ装置であって、トイレ部、収集ボックス、フォイル用供給手段、ヒートシール手段、およびベースを含む。トイレ槽は上リングおよび下リングに組み合わせたフォイルで形成されている。前記フォイルはフォイルカセットから供給される構成である。
【０００９】
好適形態において、前記フォイル用供給手段はフォイルを前進させるために前記下リングの下方の所定位置に設置された二対の供給車輪を含み、かつ前記フォイル用供給装置はシャフトを介して電動モータにより駆動し、前記シャフトは前記供給車輪に各々が連結された一対の歯車と各外端で噛み合う歯車を有する。
【００１０】
好適形態において、前記上リングは円形であり、前記下リングは前記供給車輪の各対の上方の所定位置で頂点が終端する多角形であり、かつ複数のロッドまたはプレートが前記上リングと前記下リングとの間に配置されている。
【００１１】
好適形態において、前記ヒートシール手段は第一および第二インパルスヒートシール棒を含む。
【００１２】
好適形態において、前記インパルスヒートシール棒はヒートシール時に上下の位置関係で設置され、かつ前記インパルスヒートシール棒の活性面はヒートシール時に実質的水平位置にある。
【００１３】
好適形態において、前記インパルスヒートシール棒は電動モータ、ならびに第一アーム、第二アーム、リンク機構およびインパルスヒートシール棒を受ける二つの歯車を含む装置に各端部で連結されたシャフトによって運動する構成である。
【００１４】
好適形態において、センサおよびバネが各リンク機構と第二アームとの間に連結されている。
【００１５】
好適形態において、前記収集ボックス）は、フォイルにより形成されかつヒートシールされた廃棄パッケージを受けるために前記ベースの所定位置に設置されている。
【００１６】
好適形態において、前記トイレ部は前記ベースに折り畳み可能に取り付けられている。
【００１７】
好適形態において、プレートが前記トイレ部の壁に各供給車輪に隣接して取り付けられ、かつ前記プレートは各供給車輪の下の形状の外側に形状を有する。
【００１８】
好適形態において、インパルスヒートシール棒の位置をモニタするために一またはそれ以上のカムが前記ヒートシール手段のシャフト上に配置され、かつ前記カムおよび前記センサの信号は電気モニタを制御するために制御カードへ送信される構成である。
【００１９】
本発明は、更に、廃棄パッケージを形成する方法を提供し、本発明による廃棄パッケージ形成方法は、前記廃棄パッケージをその両側でヒートシールしてフォイル管に形成し、かつ空バッグを、前記廃棄パッケージと交互に配置して列を形成するように、前記廃棄パッケージ間に形成することを特徴とする。
【００２０】
好適形態において、廃棄パッケージ形成方法は前記移動トイレ装置に使用される。
【００２１】
【発明の実施の形態】
本発明によるトイレ装置はトイレ部１および車輪付きベース３を含む。フットレスト４、アームレスト５およびバックレスト６がトイレ部１上に配備されている。フットレスト４およびアームレスト５の両者は軸着されている。収集ボックス２がベース３に受けられている。
【００２２】
トイレ部１は収集ボックス２、供給手段、フォイルの周囲カセット１３を使用して形成されたトイレ槽１２、ヒートシール手段およびフォイル用のカッティング装置１７を含む。更に、トイレ装置は適宜位置に設置された電気コード３６を受ける。トイレ部１は車輪付きベース３上に受けられる。通常状態において、座３２および座カバー８はトイレ槽１２の上部上に配備される。
【００２３】
運搬を促進するために、一対の車輪３３がベース３の下方後コーナに配備される。ベース３の前コーナには支柱３４が配備される。このように、トイレ装置は車輪３３を使用することにより移動するものであってよい。トイレ装置が所望位置にあるときに、トイレ装置は支柱３４および車輪３３上に設置される。当業者には、トイレ装置の可動性が幾つかの異なる方法で構成されてよいことが理解されるであろう。
【００２４】
トイレ槽１２は下リング１４、上リング１５、および可撓性フォイル１６を含み、共にトイレ槽１２を形成する。複数のロッド１１が下リング１４および上リング１５間にそれぞれ固定設置される。図示されていない他の形態において、ロッド１１は各側でプレートで置換されてよく、かかるプレートはロッド１１の各側間の領域に対応して延在する。ロッド１１、プレートまたは他の同様手段が使用されるか否かと関係なく、唯一フォイル１６が前方後方領域に存在する。この構成により、尿の飛散の危険は実質的に低減する。図示形態において、上リング１５は円形であり、他方下リング１４は多角形である。下リング１４は対峙する多角形の頂点に及ぶ中心矩形形態を有する。前記頂点は供給手段の一部である供給車輪１８の僅かに外側で上方の所定位置で終端する。フォイル１６は下リング１４および上リング１５の外側で下リング１４の外側に設置されたフォイルカセット１３から供給される。次に、フォイル１６は上リング１５の内側上方から供給され、かつ続いて下リング１４の内側に供給される。下リング１４の下で供給装置がフォイル１６を受ける。供給装置については更に後述する。このようにして、フォイル１６はトイレ槽１２の領域内、即ち、下リング１４と上リング１５との間に管を形成する。トイレ槽１２の両側を形成するフォイル１６が可撓性である場合には、使用時の尿飛散の危険は主に解消される。
【００２５】
フォイル供給装置は電動モータ３７により作動する。電動モータ３７はシャフト３８を駆動する。シャフト３８は各外端で歯車３９に駆動可能に連結され、かつ各歯車３９は一対の歯車４０，４１と噛み合う。各側のこれらの三つの歯車３９，４０，４１は連続的に設置される。中間の歯車４０、およびシャフト３８から最も遠い位置の歯車４１は、各々供給車輪１８に連結されたシャフト４４を有する。二つの供給車輪１８は相互に隣接設置され、かつその供給車輪１８間でフォイル１６を前進させるために充分に近接している。二対の供給車輪１８が下リング１４の周辺で相互に対峙して設置される。このようにして、電動モータ３７が作動するときに、供給車輪１８はフォイル１６を前進させる。供給車輪１８は排泄物を受けるために最大に開放するように構成される。
【００２６】
供給車輪１８の内側に隣接して、薄いプレート１９がトイレ部１の壁へ取り付けられる。薄いプレート１９の上部の半径は供給車輪１８の半径よりも小さく、数ミリであるが、プレート１９の外形が供給車輪１８の外側になるように、その下側で連続的拡大する。これにより、収集ボックス２が充満した場合にパッケージフォイル２２の供給車輪１８上での潜在的巻回を阻止する。
【００２７】
排泄物を受けた後に、フォイル１６の管はバック形態の廃棄パッケージ９に形成される。廃棄パッケージ９は、フォイル１６の管が受けた排泄物の両側をヒートシールできるように形成される。廃棄パッケージ９の底を形成するヒートシールは前工程で形成され、かつ排泄物を受けるために底を形成する。使用後に、廃棄パッケージ９は、その上部がヒートシールされるように形成される。そこで、フォイル１６が短距離を前進し、新規ヒートシールが行なわれた後に空バック１０を形成する。空バック９の上ヒートシールは次の廃棄パッケージ９の下ヒートシールを形成する。このようにして、使用時に廃棄パッケージ９と空バック１０が交互に配置されて一体化された長い連続列が形成される。空バック１０は、主に、所定廃棄パッケージ９が分析等のために必要とされる場合に廃棄パッケージ９の列をカットして使用される。廃棄パッケージ９と空バック１０とを一体化した連続列は収集ボックス２に受けられる。収集ボックス２はトイレ部１の下で車輪付きベース３に所定位置で受けられる。
【００２８】
他の形態として、廃棄パッケージ９の列は、形成後であってその廃棄パッケージ９が収集ボックス２に受けられる前に事実上自動的にカットされる。同様に、この場合、廃棄パッケージ９と空バック１０の連続列は空バック１０の所定位置でカットされる。
【００２９】
ヒートシール装置はシャフト４３を駆動する他の電動モータ４２により作動する。シャフト４３の各端領域で、第一アーム２５が回転可能に連結される。即ち、第一アーム２５はシャフト４３により回転する。第一アーム２５の自由端はリンク機構２７に連結される。第二アーム２８がリンク機構２７へ一端で連結されかつ他端に第一インパルスヒートシール棒２１を有する。更に、第二アーム２８は歯車２４へ枢軸回転自在に固定される。第二アーム２８は歯車２４に連動しかつピボット点２６に軸着される。歯車２４は他の歯車２３と噛み合い、他の歯車２３には第二インパルスヒートシール棒２０が取り付けられる。各歯車の全サイクル中の一部のみがその運動の伝達に使用される。このようにして、幾つかの形態において、歯はかかる一部においてのみ配備され、かつ歯車２３，２４の残部は歯を具備しない。更に他の形態において、接触部分は円形以外の形態で形成される。電動モータ４２によって、シャフト４３および従って第一アーム２５が回転する。第一アーム２５の回転運動はリンク機構２７および第二アーム２８により、第二アーム２８がピボット点２６で枢軸回転自在に固定された歯車２４へ伝達される。第二インパルスヒートシール棒２０が取り付けられた歯車２３は他の歯車２４の回転により回転する。この回転は、第二インパルスヒートシール棒２０がトイレ部１内に形成されたストッパに衝突するまで連続する（図６ｃ参照）。このストッパはインパルスヒートシール棒２０，２１の端に対応する位置に配備されたプレート２２により形成され、かつ図６ａから６ｃに示されたような形態を有する。第二インパルスヒートシール棒２０がストッパに衝突するときに、歯車２３，２４の回転は同様に停止する。しかし、第一アーム２５は未だ電動モータ４２により回転している。第一アーム２５のかかる回転はバネ力に対するリンク機構２７の回転に通じかつ第二アーム２８は歯車２４でピボット点２６を中心に回転する。第一インパルスヒートシール棒２１は、歯車２３，２４の回転が停止したときに実質的垂直に移動する。第二アーム２８により形成される相対的に長いレバーによって、実質的力がヒートシール作業時にこのヒートシール棒に加わる。
【００３０】
インパルスヒートシール棒２０，２１は通常は開放位置にある、即ち、相互から所定間隔をおく。インパルスヒートシール棒２０，２１の活性面を損傷する危険を回避するために、インパルスヒートシール棒２０，２１が相互に対して接近するときに、インパルスヒートシール棒２０，２１は、そのフランクが相互に向かって移動しかつ一方のインパルスヒートシール棒２１が他方のインパルスヒートシール棒２０の頂面上に位置するように、移動する。第二インパルスヒートシール棒２０は円形運動パターンを有するが、第一インパルスヒートシール棒２１は歯車２４でピボット点２６により非常に不規則なパターンで移動する。フォイル１６はインパルスヒートシール棒２０，２１の運動によりインパルスヒートシール棒２０，２１間で移動する。このようにして、インパルスヒートシール棒２０，２１の活性面はヒートシール時に実質的水平位置である。図示形態において、第一インパルスヒートシール棒２１の活性面は第二インパルスヒートシール棒２１の活性面の上面上に設置される。当業者は二つのインパルスヒートシール棒２０，２１が上下の位置関係にあることが本発明に必須でないことを理解するであろう。更に、他の形態において、インパルスヒートシール棒２０，２１はヒートシール時に横並びにされてよく、この場合、インパルスヒートシール棒２０，２１の活性面は棒の側面が対面するように設置される。インパルスヒートシール棒２０がその端位置に達して停止するときに、上のインパルスヒートシール棒２１は連続的に下方への運動を続けてフォイル１６を大きな力で付勢すると同時にそのパッケージをヒートシールする。これは二つのアーム２５と２８との間に取り付けたバネ負荷リンク機構２７により可能である。
【００３１】
インパルスヒートシール棒２０，２１が接近するときにその両者間で何らかの危険物体が圧搾される場合には、インパルスヒートシール棒２０，２１は直ちに停止しかつ開始位置に復帰する。図示形態において、これは、センサ３１をインパルスヒートシール棒２０，２１の運動のために本装置のリンク機構２７へ連結構成することにより達成される。インパルスヒートシール棒２０，２１の運動が妨害される場合に、リンク機構２７は第二アーム２８およびセンサ３１から短距離だけ離れる方向へ回転する。そこで、フォイルが更に前進しかつ新規シーリングが試みられる。
【００３２】
インパルスヒートシール棒２０，２１の運動装置のシャフト４３上のカム３０はインパルスヒートシール棒２０，２１の位置をモニタするために使用される。インパルスヒートシール棒２０，２１がヒートシール位置にあるときには、所定力がヒートシール工程に加わるべきであるので、その運動は直ちに停止されるべきでない。そのようにして、センサ３１の信号はカム３０により提供される検知位置に相関する。この反応は、インパルスヒートシール棒２０，２１がヒートシール位置にあるか、またはヒートシール棒２０，２１が並進運動時に障害に遭遇するかに依存する。
【００３３】
使用後の「水洗（ｆｌｕｓｈｉｎｇ）」のために、水洗ボタン７が適宜場所に設置される。水洗ボタン７が押されると、供給手段は管状パッケージフォイルをフォイルカセット１３から前進させ、かつ排泄物がヒートシール部を通過した後にパッケージフォイルをヒートシールする。通常は、フォイル１６は、フォイル１６の前進する長さに対応する所定期間を前進する。他の形態において、フォイル１６は水洗ボタン７が押される間前進する。このようにして、関与する職員は、フォイル１６がヒートシールに適した位置まで前進したか否かを視覚的に制御できる。廃棄パッケージ９のヒートシール後に、フォイル１６の他の小部分が前進しかつそこで連続的かつ自動的工程でヒートシールされる。このように、トイレへの訪問が、収集ボックス２内に受けられる、長い一体的列において空バック１０を交互に配置した複数の廃棄パッケージ９の形成を可能にする。
【００３４】
収集ボックス２を空にするために、または排出物のサンプルが更に運搬または分析のために必要とされる場合には、トイレ部１はベース３に対して折り畳まれる。係止装置（図示せず）が使用時および運搬時のトイレ部１の不本意な折り畳みを阻止するために装備される。係止装置はペダル３５により解除される。廃棄パッケージ９の列は特に装備されるカッティング装置１７により空バック１０のところでカットされる。図示形態において、カッティング装置１７は共働部分に作用するナイフ形態である。従って、かかるカッティング装置１７は一対のハサミに類似する。図示ナイフは、一端で軸着されかつ他端でカットを可能にするためのノブを有する。図３において、廃棄パッケージ９の列をカットするためにトイレ部１の位置が図示されている。当業者は、カッティング装置が本発明から逸脱しない他の多くの異なる形態であってよいことを理解するであろう。カッティング装置１７は実質的に自動でありかつカット手段としてナイフ等の代わりに熱が使用されてよい。加熱はヒートワイヤにより可能である。
【００３５】
フォイル１６の材料は病院に既存の焼却炉で焼却できる廃棄物を使用できる。通常は、フォイル１６は異なるポリエチレン材料の混合物で形成される。パッケージ材料の焼却は基本的に二酸化炭素および水蒸気のみを発生するものである。
【００３６】
制御カード２９は機械を制御する。カム３０およびセンサ３１はその機能をモニタする制御カード２９へ信号を送信する。センサ３１はインパルスヒートシール棒２０，２１の運動のために本装置のリンク機構２７の運動を検知するために所定位置に設置される。トイレ装置への動力供給は電気コード３６により行なわれる。この動力供給は二つの電動モータ３７，４２、センサ３１、およびトイレ装置の機能をモニタしかつ制御する制御カード２９のために使用される。
【００３７】
トイレ装置の使用を可能にするために、第一にトイレ部１の頂面が上昇する。トイレ部１の頂面と共に、トイレ座３２が除去される。次に、トイレ槽１２を形成する上リング１５および下リング１４が上昇する。上下リング１５，１４がロッド１１またはプレートにより連結されるときに、上下リング１５，１４は一つのユニットとして上昇する。フォイル１６のカセット１３が下リング１４の外側に設置される。次に、トイレ槽１２を形成する上下リング１５，１４がトイレ部１内の所定位置へ戻される。そこで、フォイル１６の端が上下リング１５，１４の外側でフォイルカセット１３から上昇し、次に上リング１５で下方へ回転する。そこで、フォイル１６は供給車輪１８へ向けて下方へ運ばれ、それによりフォイル１６は供給車輪１８により両側を把持され、かつ下方へ前進する。このようにして、フォイル１６は上下リング１５，１４の内側で管の形態に形成され、かつトイレ槽１２の側を形成する。最終的にトイレ装置を使用できるようにするために、フォイル１６の管は供給装置下の領域でヒートシールされる。
【図面の簡単な説明】
【図１】本発明によるトイレ装置の斜視図である。
【図２】一部を切り取った図１のトイレ装置の斜視図である。
【図３】異なる位置で示した図１のトイレ装置の斜視図である。
【図４】本発明によるトイレ装置のモータ部の平面図である。
【図５】図４のＶ−Ｖ線に沿った断面図である。
【図６】（ａ）および（ｂ）はＩＶ−ＩＶ線に沿った断面図であり、異なる作業位置を示し、（ｃ）は（ａ）および（ｂ）に示された部分の詳細図である。
【図７】本発明によるトイレ装置により形成される廃棄パッケージの一体的列を示す図である。
【符号の説明】
１…トイレ部
２…収集ボックス
３…ベース
４…フットレスト
５…アームレスト
６…バックレスト
８…座カバー
９…廃棄パッケージ
１０…空バック
１２…トイレ槽
１３…フォイルカセット
１４…下リング
１５…上リング
１６…フォイル
１７…カッティング装置
２０，２１…インパルスヒートシール棒
２２…パッケージフォイル
３１…センサ
３３…車輪
３４…支柱
【図１】
2004261530.tif 000003
【図２】
2004261530.tif 000004
【図３】
2004261530.tif 000005
【図４】
2004261530.tif 000006
【図５】
2004261530.tif 000007
【図６】
2004261530.tif 000008
【図７】
2004261530.tif 000009